(57)【特許請求の範囲】
【請求項１】
所要巾の鎖編目列において各編目列間に挿入糸が横振り挿入されてなり、該挿入糸は隣接する両編目列間を単位としてウエール方向に複数コース位置をずらして夫々、各編目列間において複数のコース横振りして隣接する編目列間に移り、該隣接編目列間で複数のコース横振りして元の編目列間に戻って複数コースの横振りを繰り返して各編目列間に当該編目列間に挿入された挿入糸と、隣接編目列間より移って来た挿入糸による横振り部を交互に形成してなると共に、１〜３列おきの編目列間に熱収縮性合成繊維集束糸よりなる柄糸を縦挿入して前記交互に形成した横振り部により上下より挟むようにして潜通し、該柄糸を収縮させることによりクロス表裏に収縮した柄糸による凹凸柄模様を顕出せしめてなることを特徴とする凹凸感を有する編物クロス。
【請求項２】
鎖編目列を形成する糸がポリエステル，ナイロン，レーヨン，綿糸より選ばれた１種又は２種以上の糸である請求項１記載の凹凸感を有する編物クロス。
【請求項３】
鎖編目列間に横振り挿入される挿入糸が綿糸，アクリル繊維糸又はポリエステル糸より選ばれた少なくとも１種又は２種以上の糸である請求項１または２記載の凹凸感を有する編物クロス。
【請求項４】
鎖編目列間に縦挿入される熱収縮性合成繊維集束糸が熱収縮性を有するナイロン，中空ナイロン，ポリエステルまたはアクリルより選ばれた少なくとも１種の糸の引き揃え糸又はマイクロファイバーの引き揃え糸である請求項１，２または３記載の凹凸感を有する編物クロス。
【請求項５】
所要巾の鎖編目列において各編目列間に挿入糸を隣接する両編目列間を単位としてウエール方向に複数コース位置をずらして夫々、複数のコース横振りして隣接する編目列間に移り、該隣接編目列間で複数コース横振りして元の編目列間に戻って複数コースの横振りを繰り返して各編目列間に当該編目列間に挿入された挿入糸と隣接編目列間より移り、挿入された挿入糸による横振り部を交互に形成せしめると共に、１〜３列おきの編目列間に熱収縮性合成繊維集束糸よりなる柄糸を縦挿入して前記交互に形成した横振り部により上下より挟みつけるよう潜通して生機編地を作成し、次いで該生機編地を加熱処理し、潜通した柄糸を収縮させることによりクロス表裏両面に収縮した柄糸による凹凸柄模様を顕出せしめることを特徴とする凹凸感を有する編物クロスの製造方法。
【請求項６】
生機編地の熱処理温度が１１０℃〜２００℃の範囲より選ばれた適正温度である請求項５記載の凹凸感を有する編物クロスの製造方法。
【発明の詳細な説明】
【技術分野】
【０００１】
本発明はボディタオル，垢すりタオルやキッチンスポンジ代用として食器類の洗浄クロス等を始め自動車の洗浄布、更にマフラー等にも使用可能な柔軟で凹凸による立体感を有し、良好な洗浄効果を奏し得る編物クロス並びにその製造方法に関するものである。
【背景技術】
【０００２】
従来、ボディタオル，垢すりタオルや食器類の洗浄には片面にパイルを有する平坦な編織クロスが用いられて来たが、近時、アクリル繊維の洗浄効果を利用し、アクリル繊維からなる毛糸を用いて編成した編物を平面，筒状，袋状あるいは三次元構造に形成したもの（例えば特許文献１，２参照）や、アクリル繊維を主成分とする芯糸と押え糸により熱収縮性アクリル繊維よりなる花糸を挟んで熱収縮させ、芯糸と押え糸のまわりに花糸による毛羽を叢生せしめた毛虫状糸により編織したもの（例えば特許文献３参照）、更にアクリル繊維からなるパイル糸を使用したループパイル布帛（例えば特許文献４参照）などが提案されている。
【先行技術文献】
【特許文献】
【０００３】
【特許文献１】実用新案登録第３００８７３６号公報
【特許文献２】特開２００８−３１６０９号公報
【特許文献３】実用新案登録第３０６９１４７号公報
【特許文献４】特開２００６−２９６５４１号公報
【発明の概要】
【発明が解決しようとする課題】
【０００４】
しかし、上記各提案された洗浄布は、アクリル繊維からなる毛糸やループパイル布を用いることにより編織布自体の伸縮によるアクリル毛糸の呼吸作用を利用し、汚れを取り込み、汚れを落ち易くして洗浄効果を高めるにしても、それ以外の副次的効果は期待し得なかった。
【０００５】
本発明は上述の如き実状に鑑み、主として洗浄クロスに用い、洗浄の外に更にマッサージ効果を求め、クロス自体に凹凸による立体感を顕出することによりボディタオル，垢すりタオルなどの洗浄用布として使用したとき接触面の凹凸面により汚れを落ち易くするのみならず、マッサージ効果をも与える編物クロスを提供することを目的とするものである。
【課題を解決するための手段】
【０００６】
即ち、上記目的に適合する本発明編物クロスは所要巾の鎖編目列において各編目列間に挿入糸が横振り挿入されてなり、該挿入糸は隣接する両編目列間を単位としてウエール方向に複数コース位置をずらして夫々、各編目列間において複数のコース横振りして隣接する編目列間に移り、該隣接編目列間で複数のコース横振りして元の編目列間に戻って複数コースの横振りを繰り返して各編目列間において当該編目列間に挿入された挿入糸と、隣接編目列間より移って来た挿入糸による横振り部を交互に形成してなると共に、１列乃至３列おきの編目列間に熱収縮性合成繊維集束糸よりなる柄糸を縦挿入して前記交互に形成した横振り部により上下より挟むようにして潜通し、該柄糸を収縮させることによりクロス表裏に収縮した柄糸による凹凸柄模様を顕出せしめてなる構成よりなる。
【０００７】
ここで鎖編目列を形成する糸としては既知の各糸を使用することができるが、一般的にポリエステル，ナイロン，レーヨン，綿糸より選ばれた１種又は２種以上の併用、就中、ポリエステル紡績糸は好ましく、また鎖編目列に折り返し挿入される挿入糸も既知の各糸を使用することができるが、通常綿糸，アクリル糸，ナイロン，ポリエステル糸より選ばれた１種又は２種以上が混用して用いられ、殊に鎖編目形成糸と同じポリエステル紡績糸又は綿糸は好適である。
【０００８】
また、鎖編目列間に１〜３列おきに縦挿入され、潜通される熱収縮性繊維集束糸よりなる柄糸としては、熱収縮性を有するナイロン，中空ナイロン，ポリエステル，アクリルより選ばれた１種又は２種以上、あるいはそれらのウーリー加工糸，マイクロファイバー等の引き揃え糸が用いられる。これら鎖編目列形成糸，挿入糸，熱収縮性合成繊維集束糸よりなる柄糸は同色でもよいが、異色とすれば意匠効果による外観の美しさを得ることができる。特に、ナイロン，ポリエステル等についてはクロスの用途に応じマイクロファイバー，極細複合繊維などの使用が有効である。
【０００９】
請求項５は上記編物クロスの製造方法であり、所要巾の鎖編目列において、各編目列間に挿入糸を隣接する両編目列間を単位としてウエール方向に位置をずらして夫々複数のコース横振りして隣りの編目列間に移り、該隣りの編目列間で複数コース横振りして元の編目列間に戻って複数コースの横振りを繰り返して各編目列間に当該編目列間に挿入された挿入糸と隣りの編目列間より移り挿入された挿入糸による横振り複数のコースを交互に形成せしめると共に、所要の全巾にわたり１〜３列おきの鎖編目列間に熱収縮性合成繊維集束糸よりなる柄糸を縦挿入し、上記編目列間に交互に形成された両挿入糸による複数のコースの横振り部により上下より挟みつけるように潜通させて生機編地を作成し、該生機編地を加熱処理することにより潜通させた前記熱収縮性合成繊維集束糸よりなる柄糸を収縮させ、クロス表裏に該柄糸の収縮による凹凸柄模様を顕出せしめる方法を特徴とする。
【００１０】
なお、加熱処理温度は使用する熱収縮性合成繊維により一律ではないが、通常、略１１０℃〜２００℃の範囲より適正な温度を選択する。
【発明の効果】
【００１１】
本発明は以上のように、所要巾の鎖編目列における各編目列間において、当該編目列間の挿入糸による横振り部と隣りの編目列間より移って来た挿入糸の横振り部を交互に形成すると共に、１〜３列おきの上記編目列間に熱収縮性合成繊維集束糸よりなる柄糸を上記交互に形成された両挿入糸の各横振り部の間に上下より挟むようにして潜通し、熱処理により収縮せしめて、収縮による柄糸によって凹凸柄模様をクロス表裏に顕出させるようにしたものであり、横振り部に潜通し、交互に上下より横振り部により押さえられて凹凸感が明瞭に顕出され、平坦面やパイル面に比しボディタオルや垢すりタオル等に使用したとき立体感による好感触を有し、かつ刺激を与えてマッサージ効果があると共に、ふきん等に使用しても凹凸により汚れを落とし易い利点を有している。しかも、鎖編目列間の１列又は２，３列おきで、かつ格子状又は市松模様状に収縮による凹凸部が形成されることにより全面に格子柄あるいは市松模様柄を呈し、染色したときには頗る美麗な意匠効果を得ることができる。
【図面の簡単な説明】
【００１２】
【図１】本発明に係るクロスの１例を示す概観図である。
【図２】図１のクロスの部分拡大組織図であり、（イ）は平面図、（ロ）はＸ−Ｘ断面概要図、（ハ）はＹ−Ｙ断面概要図、（ニ）はＺ−Ｚ断面概要図である。
【図３】本発明クロスの他の例を示す部分拡大組織図であり、（イ）は平面図、（ロ）はＸ′−Ｘ′断面概要図、（ハ）はＹ′−Ｙ′断面概要図、（ニ）はＺ′−Ｚ′断面概要図である。
【発明を実施するための形態】
【００１３】
以下、更に添付図面に基づいて本発明の具体的形態を詳述する。図１は本発明に係る編物クロスの１例を示す外観概要図であり、図においてＡはクロス本体を示し、図示の如く並列する所要巾の鎖編目形成糸１よりなる各鎖編目列ａの間に挿入糸による横振り部が形成され、該横振り部に上下より挟まれるように熱収縮性合成繊維集束糸よりなる柄糸４が潜通して、その潜通部ｃと熱処理により収縮し、膨出された凸部ｂが交互に形成されてクロス表裏に凹凸による柄模様が顕出されている。
【００１４】
図２は上記組織の詳細であり、所要の巾を有して形成された各鎖編目列ａにおいて、隣接する編目列間で各列とも挿入糸２，２′により横振り部３，３′が形成されている。この横振り部３，３′は各編目列間においてそれぞれ隣接する編目列間の挿入糸２，２′と共に交互に形成されており、隣接する挿入糸２，２′を隣接する両編目列間を単位としてウエール方向に複数コースずらしてそれぞれ各列間において複数のコースにわたり折り返し横振りした後、隣接する編目列間に移し該編目列間で複数のコースにわたり横振り折り返しを行って再び元の編目列間に戻り、複数のコースを横振りするというジグザグ状の編成を行い、各編目列間において上記の如く隣接する挿入糸２，２′による複数のコース毎の横振り部３，３′を交互に形成している。
【００１５】
そして、上記交互に形成された各編目列間の隣接挿入糸２，２′による各横振り部３，３′の上下より挟むように潜通して熱収縮性合成繊維集束糸よりなる柄糸４が上記交互に形成された横振り部３，３′の間で表面側に顕出する部分と下面側に顕出する部分を形成して、図では縦方向１列おきに挿入されている。勿論、１列おきに限らず２列おき、あるいは３列おきとしてもよい。しかし、余り間隔が大きくなると柄模様の美麗さが失われるので１〜３列程度が好適である。
【００１６】
以上のようにして編成された編地は生機編地として、引き続き熱処理することにより熱収縮性合成繊維集束糸よりなる柄糸４顕出部分は熱収縮し、バラケ状態で膨出した状態となって潜通部ｃの間に膨出した柄糸膨出部ｂと共に凹凸模様を形成し、立体感が顕出される。なお、上記図１及び図２は隣接する編目列間において膨出部ｂが縦横一線にあって、格子状模様による凹凸を全面に形成しているが、必らずしもこの模様に限らず、隣接する編目列間において交互に挟みつけて、前記膨出部を市松模様状に顕出せしめるようにすることも可能である。
【００１７】
図３は上記膨出部を市松模様状に挟み付けた場合であり、挟みつけの位置が異なる以外は前記図１，図２におけると同じである。また、挟みつけ位置を適宜、変えることによって種々の凹凸模様の変化を得ることができる。
【００１８】
以上の各クロスにおいて、鎖編目列を形成する糸，鎖編目列に横振り挿入される挿入糸ならびに鎖編目列間に挿入される柄糸は何れも使用する糸の種類は問わないが、一般的には鎖編目列を形成する糸はポリエステル，ナイロン，レーヨン，綿糸などの紡績糸が好ましく、これらを単独または２種以上併用して編成することが好ましい。また鎖編目列に横振りして挿入される挿入糸は主として綿糸，アクリル系，ナイロン，ポリエステルが用いられ、これらの糸は両挿入糸とも上記鎖編目形成糸と同じ糸を用いてもよいが、特に異なる種類の糸を用いることが風合い，染色による色差外観などの面より好適な場合がある。なお、紡績糸としては一般的に２０番手単糸程度が有効である。
【００１９】
一方、鎖編目列間に挿入される柄糸の熱収縮性合成繊維集束糸としては、熱収縮性を有するナイロン，ポリエステル，アクリル繊維の単独または混合の引き揃えによる稍太の集束糸が用いられ、熱処理により収縮することによってモールヤーン状を呈し、潜通する上下の横振り部３，３′に挟まれてクロス表裏に交互に顕出し、表面に顕出した収縮集束糸は表面側に、一方、裏面に顕出した収縮集束糸は裏面側においてそれぞれバラケ状態で膨出し、図２，図３に示す如く格子状又は市松模様状にクロス表裏に本発明の特徴とする凹凸立体感を与える。
【００２０】
なお、柄糸４としてポリエステル，ナイロンの複合糸の分割によるマイクロファイバー糸の８本引き揃え糸や中空ナイロンの複数引き揃え糸あるいはウーリー状ナイロン又はポリエステルなどの各複数引き揃え糸の使用は実用上、効果的である。
【００２１】
上記本発明クロスはその作成にあたっては通常、シングルラッセル機が使用され、該編機により所要巾において鎖編目列を並列して編成すると共に、各鎖編目列間にそれぞれ挿入糸を用いて、かつ隣接する両編目列間でウエール方向に複数コース分だけ位置をずらして複数コース横振りして横振り部を形成した後、隣りの編目列間に移り、該編目列間で上記と同様、複数のコースで横振りして折り返し編成し、再び元の編目列間に戻ってこの編目列で横振りすることの工程を繰り返して各鎖編目列間に隣接した編目列間に挿入される挿入糸の一方による複数コースの横振り部が縦方向、即ちウエール方向に複数コース分の間隔をおいて断続的に編成される一方、上記編目列間に隣接する他方の挿入糸が上記断続的な編成により断続的に残される複数コースに対応する分の位置を埋めるように、先ず各編目列間で複数コース横振りし、次いで隣接する前記一方の編目列間における断続的に残される複数コースに移行して該部分を埋めるように横振り編成を行い、次いで元の編目列間に戻って複数コースの横振りを行い、これを繰り返し、これが全編目列間において行われ、全編目列間を通じ両挿入糸による複数コースの横振り部が交互に繰り返し配された編地基布が作成される。
【００２２】
そして、上記シングルラッセル機による編地基布の編成と共に、これに合わせて熱収縮性合成繊維収束糸よりなる柄糸を１列おき又は２，３列おきに編目列間に挿入し、前記一方の編目列間に形成される複数コースの横振り部と、該横振り部と交互に配される隣接編目列間に挿入される挿入糸によって形成される横振り部との間に潜通させて、編地の各編目列間表裏に潜通部の間に交互に柄糸が現れる生機編地が作成される。
【００２３】
即ち、図２，図３に示すように上記交互に形成された各編目列間の挿入糸２，２′による各横振り部３，３′の間を潜通して熱収縮性合成繊維集束糸よりなる柄糸４が縦挿入糸として交互に形成された横振り部３，３′の間に表面側に顕出する部分と潜通部により下面側に顕出する部分を形成して挟み込まれている。
【００２４】
このようにして生機が編成されると、次にこれを１１０℃〜２００℃の範囲で各使用糸に適合させた温度下で熱処理することにより熱収縮性合成繊維集束糸よりなる柄糸４は熱収縮し、糸束がバラケて膨出した状態となって凸部を形成し、潜通部による凹部と合わせて凹凸立体感を顕出する。なお、図１及び図２はは隣接する編目列間において膨出部ｂが一線上にあって、格子模様による凹凸を全面に形成しているが必らずしもこれに限らず、交互に挟みつけて市松模様状に顕出せしめることが可能であることは前述した通りである。以下、更に本発明の実施例を説明する。
【実施例】
【００２５】
実施例１
鎖編目形成糸として２０番手単糸のポリエステル紡績糸、横振り挿入糸として同じく２０番手単糸のポリエステル紡績糸を用いると共に、柄糸として６６０ｄｔｅｘ（デシテックス），１４４フィラメントのポリエステルウーリー糸を８本引き揃えて用い、シングルラッセル機により図２に示す生機編地を編成した。次いでこの生機編地を熱処理機により設定温度１８０℃で熱処理したところ、柄糸が鎖編目列１列おきに表裏に収縮による縦横の凹凸柄模様を顕出し、立体感のある本発明クロスが得られた。
実施例２
鎖編目形成糸として１６番手単糸のポリエステル紡績糸，横振り挿入糸として２０番手単糸のポリエステル紡績糸を用い、かつ柄糸としてポリエステルとナイロンの複合糸でナイロンを溶融し、割繊して得られた０．３８ｄｔｅｘ、６４フィラメントのポリエステルマイクロファイバーを８本引き揃え集束して用いてシングルラッセル機により図３に示す生機編地を編成した。この生機編地を熱処理機により１８０℃の温度で熱処理したところ、鎖編目列１列おきに表裏に柄糸の収縮による市松凹凸模様を有するクロスが得られた。
実施例３
鎖編目形成糸に２０番手単糸のポリエステル紡績糸，横振り挿入糸に２０番手単糸の綿糸を用い、縦挿入する柄糸に中空ナイロン１１７０ｄｔｅｘ，４０フィラメントを４本引き揃えて用いてシングルラッセル機により図２に示す生機編地を作成した。
【００２６】
この生機編地を引き続き１２０℃に設定した熱処理機により熱処理したところ鎖編目列の１列おきに編地表裏に収縮による膨出部が縦横一線上に形成され、格子状凹凸柄模様の顕出された本発明クロスを得た。
【００２７】
そこで引き続き、次に上記各実施例１〜３より得られた凹凸模様を有するクロスを試験のため５名を選出し、洗浄クロスとしてボディタオルに試用して貰ったところ、何れも従来の平坦な編織地によるものや、ループパイル布帛によるタオルに比し遙かに立体感により感触がよく、汚れ落としも良好であると共に、洗浄効果が良いとの結果を得た。しかもまた、凹凸による柔らかな刺激があってマッサージ効果が見られ、極めて快適との報告があった。なお、熱収縮により形成された凹凸柄模様は美麗な意匠効果があり、洗浄用クロスとして需要者の使用を増進する効果も見られた。
【符号の説明】
【００２８】
Ａ：クロス本体
１：鎖編目形成糸
２，２′：横振り形成糸
３，３′：横振り部
４：柄糸（熱収縮性合成繊維集束糸）
ａ：鎖編目列
ｂ：柄糸膨出部
ｃ：潜通部
【図１】
0005413173.tif 000002
【図２】
0005413173.tif 000003
【図３】
0005413173.tif 000004